(57)【要約】【課題】プラスチック製コンテナーに被せられるプラスチック製の蓋であって、蓋の上に常に安定してコンテナーを積み重ねられるようにする。【解決手段】略直方形のプラスチック製コンテナーに被せられる略直方形の蓋１０であって、四辺に形成された補強側縁１２，１２，１３，１３に対し段状に低下する落蓋面１７を中央部に形成し、該補強側縁がコンテナーの上端開口縁の上に載置されることで該落蓋面がコンテナーの内側に遊嵌するようにし、該各補強側縁の両端部上面を凹欠すると共に該落蓋面からは段状に高くなるように該落蓋面の四隅部に平面視で略直角三角形の荷受面１８を形成し、該蓋の上に積み重ねられるコンテナーの底壁の四隅が該荷受面１８上に載荷されるようにした。【選択図】図１
2008308200.tif 000002
【特許請求の範囲】
【請求項１】
略直方形のプラスチック製コンテナーに被せられる略直方形の蓋であって、四辺に形成された補強側縁に対し段状に低下する落蓋面を中央部に形成し、該補強側縁がコンテナーの上端開口縁の上に載置されることで該落蓋面がコンテナーの内側に遊嵌するようにし、該各補強側縁の両端部上面を凹欠すると共に該落蓋面からは段状に高くなるように該落蓋面の四隅部に平面視で略直角三角形の荷受面を形成し、該蓋の上に積み重ねられるコンテナーの底壁の四隅が該荷受面上に載荷されるようにしたことを特徴とするプラスチック製コンテナーの蓋。
【請求項２】
荷受面は落蓋面の四隅部の上面に平面視で斜めリブを一体に形成することにより形成したものである請求項１に記載のプラスチック製コンテナーの蓋。
【請求項３】
荷受面の下面に補強リブを一体に形成したことを特徴とする請求項１または２に記載のプラスチック製コンテナーの蓋。
【請求項４】
荷受面を蓋の他部分よりも肉厚に形成すると共に、該荷受面の上面を凹凸状に形成したことを特徴とする請求項１または３に記載のプラスチック製コンテナーの蓋。
【発明の詳細な説明】
【技術分野】
【０００１】
本発明は、種々の物品を収納し、運搬・保管するために使用されるプラスチック製コンテナーの蓋に関するもので、さらに詳しくは、蓋の上にさらにコンテナーを安定して積み重ねられるようにする蓋の構造に関するものである。
【背景技術】
【０００２】
下記特許文献１に示された折りたたみコンテナーは、多段に積み重ねた際に荷重によって下段のコンテナーが座屈するといったことがないようにするため、図１５に示したように該コンテナーＡの底壁１の四隅に突出部２を形成すると共に、図１６に示したように該コンテナーＡの上端開口縁３の四隅に凹部４を形成し、積み重ねた際に上段のコンテナーＡの突出部２が下段のコンテナーＡの凹部４に嵌合することで、四隅が補強されるようにしたものであった。
なお、この底壁１は補強のため底面全体に格子状にリブが一体成形されている。また、このコンテナーは四側壁を内側に倒すことにより折りたたみ得る構造であるが、その詳細については本発明と直接関係がないので説明を省略する。
また、このコンテナーＡに被せる略直方形の蓋は、図１７に上面の斜視図を示したように、該蓋Ａ′の四隅に凹部５を形成し、下段のコンテナーＡに該蓋Ａ′を被せ、該蓋Ａ′の上に同形のコンテナーＡを積み重ねたとき該凹部５に上段のコンテナーＡの突出部２が嵌合するようにしたものであった。
【特許文献１】実公平４−１５６３３号公報
【発明の開示】
【発明が解決しようとする課題】
【０００３】
ところで、例えば物流センターでは、上記のように突出部２を有するコンテナーＡと、図１８に示したように底壁１に上記のような突出部が形成されてないコンテナーＢとが混在して使用されているのが現状であるが、このコンテナーＢが図１９および図２０に示したように上記蓋Ａ′の上に積み重ねられると、図２１に示したようにこのコンテナーＢの荷重が蓋Ａ′の凹部５の外周リブ６に専ら掛るため、図２２に示したように該外周リブ６が外側に折れ曲がるように変形しコンテナーＢの隅角部が該蓋Ａ′の凹部５に嵌まり込み、しかも、コンテナーＢの底壁の隅角部は通常円弧状に面取りされていることから該外周リブ６を一層外側に変形させ易いものであった。このためこのような従来の蓋Ａ′の上にはコンテナーＢが安定して積み重ねられないという問題があった。
【課題を解決するための手段】
【０００４】
上記課題を解決するため、請求項１に記載したプラスチック製コンテナーの蓋は、略直方形のプラスチック製コンテナーに被せられる略直方形の蓋であって、四辺に形成された補強側縁に対し段状に低下する落蓋面を中央部に形成し、該補強側縁がコンテナーの上端開口縁の上に載置されることで該落蓋面がコンテナーの内側に遊嵌するようにし、該各補強側縁の両端部上面を凹欠すると共に該落蓋面からは段状に高くなるように該落蓋面の四隅部に平面視で略直角三角形の荷受面を形成し、該蓋の上に積み重ねられるコンテナーの底壁の四隅が該荷受面上に載荷されるようにしたことを特徴とする。
このため底壁に突出部を有するコンテナーも突出部を有しないコンテナーも荷受面上に載荷され、常に安定した積み重ねができる。
また請求項２に記載した発明は、上記コンテナーの蓋において、荷受面は落蓋面の四隅部の上面に平面視で斜めリブを一体に形成することにより形成したものであることを特徴とする。
このように斜めリブを形成することによっても荷受面を形成することができ、該荷受面上にコンテナーを常に安定して積み重ねることができる。
【０００５】
また請求項３に記載した発明は、上記コンテナーの蓋において、荷受面の下面に補強リブを一体に形成したことを特徴とする。
これによって荷受面の耐荷重性が増す。
また請求項４に記載した発明は、上記コンテナーの蓋において、荷受面を蓋の他部分よりも肉厚に形成すると共に、該荷受面の上面を凹凸状に形成したことを特徴とする。
これによって、荷受面の耐荷重性が増すと同時に、荷受面上に積み重ねたコンテナーとの摩擦抵抗が増すことで、該コンテナーの移動・ガタツキ・騒音が軽減される。
【発明の効果】
【０００６】
底壁に突出部を有するコンテナーも突出部を有しないコンテナーも倒壊のおそれなく常に安定して積み重ねられる。このため、本発明によればコンテナー蓋としての汎用性が増し、使い勝手が向上する。
【発明を実施するための最良の形態】
【０００７】
［実施例１］
実施例１は請求項１に記載したプラスチック製の蓋の最良の形態を示すもので、図１はこの蓋１０の上面の斜視図、図２はこの蓋１０の下面の斜視図、図３は図１のＡ−Ａ線断面図、図４は図１のＢ−Ｂ線断面図である。この蓋１０は略直方形であって、相対する長側辺および短側辺に図３に示されるように断面が下向きコ字形に屈折し、その内側に適宜間隔で補強リブ１１を形成することで強度および剛性を高めた補強側縁１２，１２および補強側縁１３，１３を額縁状に形成している。なお、短側辺の補強側縁１３，１３の中間部にはその外側面１４を切除することにより手を差し入れ易くする把手部１５，１５が形成され、該把手部には止紐（図示せず）を係留するための小孔１６が開設されている。
【０００８】
また、この蓋１０の中央部に上記補強側縁１２，１２および補強側縁１３，１３に対し段状に低下する落蓋面１７が形成され、該補強側縁がコンテナーの上端開口縁の上に載置されることで該落蓋面１７がコンテナーの内側に遊嵌する。なお、図１，図２に多数の点々を付した落蓋面１７の中央部分１７ａは、他部分よりも幾分肉厚に成形され、成形時の樹脂の収縮に伴う該落蓋面１７の変形が軽減されるようにしている。
そして、該各補強側縁１２，１２および１３，１３の両端部上面を凹欠すると共に前記落蓋面１７からは段状に高くなるように該落蓋面１７の四隅部に平面視で略直角三角形の荷受面１８を形成する。なお、この荷受面１８の外周には前記補強側縁１２，１３の外側面１４から連続するように外周リブ１９が形成されている。なお、２０は落蓋面１７の外周面に突設された小突起で、該小突起をコンテナーの内側に当接させることで、この蓋１０がガタツキなく被せられるようにしている。
【０００９】
このように構成した蓋１０では、図５，図６に示したように、突出部２を有するコンテナーＡに該蓋１０を被せ、該蓋１０の上にこのような突出部を有しないコンテナーＢを積み重ねたとき、図７に示したように、該蓋１０の荷受面１８上に該コンテナーＢの底壁の四隅が載荷されることから、コンテナーＢを安定して積み重ねることができると共に、外周リブ１９に荷重が掛かって変形するようなこともない。
また、図８，図９に示したように、突出部を有しないコンテナーＢに該蓋１０を被せ、該蓋１０の上に突出部２を有するコンテナーＡを積み重ねたときは、図１０に示したように、該荷受面１８上に該コンテナーＡの底壁の四隅および突出部２が載荷されることから、コンテナーＡについても該蓋１０上に安定して積み重ねることができ、外周リブ１９を変形させることがない。
そして、積み重ねたコンテナーの荷重は、いずれもこの蓋を介して下段のコンテナーの四隅角部に掛るので、下段のコンテナーも無理なく荷重に耐えられ、変形し難くなるので、重い物を積み重ねても倒壊するおそれが少ない。
【００１０】
なお、前記落蓋面１７は、コンテナーに被せた際に該コンテナーの内側に遊嵌すると共に、該落蓋面１７は外周の補強側縁１２，１３よりも段状に低く形成されるので、図７に示されるように該蓋１０上に積み重ねたコンテナーの底壁１が該落蓋面１７から離間した状態に保持される。このため、積み重ねるコンテナーの底壁１に多少の撓み等があっても常に安定した積み重ねができると共に、該蓋１０の落蓋面１７に印刷を施したり或いは表示シートが貼り付けられていても、底壁１がこれらから常に離間した状態に保たれ、該落蓋面１７が底壁１との接触によって汚れたり、印刷や表示が底壁１とすれて見難くなるようなおそれがない。
【００１１】
［実施例２］
実施例２は請求項２に記載したプラスチック製の蓋であり、図１１に示したように、各補強側縁１２，１２および１３，１３の両端部上面を凹欠すると共に、落蓋面１７の四隅部の上面に平面視で４５度の斜めリブ２１をこの凹欠部と同一高さなるように一体に形成することにより、この凹欠部と斜めリブ２１とにより荷受面１８が形成されるようにしたものである。なお、２２はこれによりできた直角三角形状の凹窪に形成した水抜孔である。このように斜めリブ２１を形成することによってもこの蓋の上にコンテナーＡおよびコンテナーＢを安定して積み重ねることができる。
【００１２】
［実施例３］
実施例３は請求項３に記載したプラスチック製の蓋であり、この蓋は図１２にその下面の斜視図を示すように、荷受面１８の下面に補強リブ２３を一体に形成することで該荷受面１８の耐荷重性を向上させ、重量物の収納・積み上げにも対処できるようにしている。
【００１３】
［実施例４］
実施例４は請求項４に記載したプラスチック製の蓋であり、この蓋は図１３に示したように実施例３と同様に耐荷重性を向上させるために荷受面１８をこの蓋の他部分よりも肉厚に形成すると共に、図１４の断面図にも示したように、該荷受面１８の上面を凹凸状に形成することで滑り難くし、該荷受面１８上に積み上げられるコンテナーとの摩擦抵抗が増すようにすることで、該コンテナーの移動・ガタツキ・騒音が軽減されるようにしている。
【産業上の利用可能性】
【００１４】
なお以上の実施例は、折りたたみ式コンテナーについて説明したが、一般的なプラスチック製コンテナーの蓋について本発明の構造を適用しても上記のような所期の効果が奏される。
【図面の簡単な説明】
【００１５】
【図１】本発明の実施例１を示す蓋の上面の斜視図。
【図２】図１の蓋の下面の斜視図。
【図３】図１の蓋のＡ−Ａ線断面図。
【図４】図１の蓋のＢ−Ｂ線断面図。
【図５】図１の蓋の使用状態を示す上方からの斜視図。
【図６】図１の蓋の使用状態を示す下方からの斜視図。
【図７】図１の蓋の使用状態を示す縦断面図。
【図８】図１の蓋の使用状態を示す上方からの斜視図。
【図９】図１の蓋の使用状態を示す下方からの斜視図。
【図１０】図１の蓋の使用状態を示す縦断面図。
【図１１】本発明の実施例２を示す蓋の上面の斜視図。
【図１２】本発明の実施例３を示す蓋の下面の斜視図。
【図１３】本発明の実施例４を示す蓋の上面の斜視図。
【図１４】図１３のＣ−Ｃ線断面図。
【図１５】突出部を有するコンテナーの下面の斜視図。
【図１６】図１５のコンテナーの上面の斜視図。
【図１７】従来の蓋の上面の斜視図。
【図１８】突出部を有しないコンテナーの下面の斜視図。
【図１９】従来の蓋の使用状態を示す上方からの斜視図。
【図２０】従来の蓋の使用状態を示す下方からの斜視図。
【図２１】従来の蓋の使用状態を示す縦断面図。
【図２２】従来の蓋の使用状態を示す縦断面図。
【符号の説明】
【００１６】
Ａ                        底壁に突出部を有するコンテナー
Ｂ                        底壁に突出部を有しないコンテナー
１０                      蓋
１２，１２，１３，１３    補強側縁
１７                      落蓋面
１８                      荷受面
２１                      斜めリブ
２３                      補強リブ
【図１】
2008308200.tif 000003
【図２】
2008308200.tif 000004
【図３】
2008308200.tif 000005
【図４】
2008308200.tif 000006
【図５】
2008308200.tif 000007
【図６】
2008308200.tif 000008
【図７】
2008308200.tif 000009
【図８】
2008308200.tif 000010
【図９】
2008308200.tif 000011
【図１０】
2008308200.tif 000012
【図１１】
2008308200.tif 000013
【図１２】
2008308200.tif 000014
【図１３】
2008308200.tif 000015
【図１４】
2008308200.tif 000016
【図１５】
2008308200.tif 000017
【図１６】
2008308200.tif 000018
【図１７】
2008308200.tif 000019
【図１８】
2008308200.tif 000020
【図１９】
2008308200.tif 000021
【図２０】
2008308200.tif 000022
【図２１】
2008308200.tif 000023
【図２２】
2008308200.tif 000024